(57)【特許請求の範囲】
【請求項１】
上部体と下部体とで構成され内部に空洞部を有する便座と、
前記便座を加熱する発熱体と、
前記便座の温度を検知するサーミスタと、を備え、
前記上部体の裏面に密着した前記サーミスタと前記裏面の前記サーミスタの外周近傍とを被覆体で被装し、
前記サーミスタの外周近傍の前記被覆体を弾力性を有する挟持体で挟持することを特徴とした暖房便座。
【請求項２】
前記挟持体は、金属の線材を折り曲げて形成し前記サーミスタを固定している前記被覆体を挟持する部分を略コ字形状に形成した請求項１に記載の暖房便座。
【請求項３】
前記挟持体は、前記下枠体側に設け、金属の線材を折り曲げて形成し前記下枠体の取り付け部の元の部分を螺旋状に形成した請求項１または２に記載の暖房便座。
【請求項４】
前記発熱体は、石英管の内部に貫通してフィラメントを配置し、不活性ガスを封入した構成のランプヒータとし、前記ランプヒータは前記下枠体側に設け、前記被覆体はアルミ箔からなる請求項１〜３のいずれか１項に記載の暖房便座。
【請求項５】
前記便座の少なくとも前記上部体の一部を金属材料で形成した請求項１〜４のいずれか１項に記載の暖房便座。
【発明の詳細な説明】
【技術分野】
【０００１】
本発明は、衛生洗浄装置等に使用する暖房便座の温度検知用サーミスタの固定構造に関するものである。
【背景技術】
【０００２】
従来、衛生洗浄装置等に使用する暖房機能を備えた便座は、便座内部に便座温度を検知するためのサーミスタを備えており、これらは、便座表面により近い温度を検出させるため、便座の上ケースの裏面に凹部を形成し、前記凹部内にサーミスタをはめ込んで固定されている（例えば、特許文献１参照）。
【０００３】
図７は、特許文献１に記載された従来の暖房便座のサーミスタの固定部の断面図を示すものである。便座は上ケース３１と下ケース３２を上下に接合し空洞部３３を形成しており、空洞部３の中央部にランプヒータ３４を配設し、ランプヒータ３４は側方に設置したサーモスタット３５と電気的に直列に接合してある。上ケース３１裏面のランプヒータ３４の上方に位置する部分には凹部３６が形成してあり、凹部３６内にサーミスタ３７がはめ込んであり、便座の上ケース３１の温度を検知する構成となっている。
【特許文献１】特開２０００−１４５９８号公報
【発明の開示】
【発明が解決しようとする課題】
【０００４】
しかしながら、前記従来の構成では、サーミスタは凹部に感熱部を暴露した状態ではめ込んで固定させたものであるため、サーミスタの感熱部は便座の上ケースの温度を感知すると共に、下方に配置したランプヒータからの輻射エネルギの影響を受け、実際の便座の上ケースの温度より高い温度を検知することとなり、上ケースの温度が十分に昇温する前に便座の温度を制御することとなり、結果として正しく便座の温度制御ができず、そのため快適な暖房便座を提供することができないという課題を有していた。
【０００５】
本発明は、前記従来の課題を解決するもので、サーミスタに対するランプヒータの輻射エネルギの影響を軽減し、便座の温度を正確に検知することにより、快適な暖房便座を提供することを目的とする。
【課題を解決するための手段】
【０００６】
前記従来の課題を解決するために、本発明の暖房便座は上部体と下部体とで構成され内部に空洞部を有する便座と、前記便座を加熱する発熱体と、前記便座の温度を検知するサーミスタと、を備え、前記上部体の裏面に密着した前記サーミスタと前記裏面の前記サーミスタの外周近傍とを被覆体で被装し、前記サーミスタの外周近傍の前記被覆体を弾力性を有する挟持体で挟持することを特徴としたものである。
【０００７】
これによって、便座のサーミスタは、発熱体から直接伝わる熱の影響を軽減することができるため、便座の温度を正確に検知することができるものである。
【発明の効果】
【０００８】
以上のように、本発明の衛生洗浄装置は、便座のサーミスタの固定を改善することにより、組立作業時のサーミスタの固定状態のばらつきや、また温度変化等によるサーミスタの固定位置のずれによる誤差や耐久性などに対し、より安定性を持たせることができる。
【発明を実施するための最良の形態】
【０００９】
第１の発明は、上部体と下部体とで構成され内部に空洞部を有する便座と、前記便座を加熱する発熱体と、前記便座の温度を検知するサーミスタと、を備え、前記上部体の裏面に密着した前記サーミスタと前記裏面の前記サーミスタの外周近傍とを被覆体で被装し、前記サーミスタの外周近傍の前記被覆体を弾力性を有する挟持体で挟持することを特徴と
したことにより、便座のサーミスタは、便座の上部体に密着すると共に、発熱体に対向する下方側は被覆体で覆われるため、発熱体からの直接伝わる熱の影響を軽減することができ、衝撃に弱いサーミスタを直接挟持体で押さえ込むのではなく、被覆体の周辺近傍を押さえる構造とするため、便座の温度を正確に検知することができ、さらにサーミスタの故障や誤検知を防ぐことができるものである。
【００１０】
第２の発明は、第１の発明において前記挟持体は、金属の線材を折り曲げて形成し前記サーミスタを固定している前記被覆体を挟持する部分を略コ字形状に形成したものであり、サーミスタの周辺近傍を押さえる構造を実現できる。
【００１１】
第３の発明は、第１または第２の発明において、前記挟持体は、前記下枠体側に設け、金属の線材を折り曲げて形成し前記下枠体の取り付け部の元の部分を螺旋状に形成したものであり、これにより便座組立状態において上部体と下部体とに無理な力が働かず、かつ被覆体を安定して挟持することができる。
【００１２】
第４の発明は、請求項１から３の発明において、前記発熱体は、石英管の内部に貫通してフィラメントを配置し、不活性ガスを封入した構成のランプヒータとし、前記ランプヒータは前記下枠体側に設け、前記被覆体はアルミ箔からなるものとした。これによって、便座上部体はランプヒータから放射される輻射エネルギで短時間に昇温することが可能となるため、暖房便座を使用する直前に通電を開始すればよく、便座の保温に要する電力が不要となり、省エネルギ効果の高い暖房便座を提供することができる。そして、被覆体をアルミ箔としたことで、サーミスタへのランプヒータから放射される輻射エネルギの影響を軽減し、便座の温度を確実に検知することができる。
【００１３】
第５の発明は、第１〜４のいずれか１つの発明において、便座の少なくとも上部体の一部を金属材料で形成したことにより、上体部の肉厚を薄く形成することが可能となり、しかも熱伝導率の高い金属製の便座は、短時間に昇温すると共に温度邑が少なく快適な暖房便座を提供することができる。
【００１４】
以下、本発明の実施の形態について、図面を参照しながら説明する。なお、本実施の形態によって本発明が限定されるものではない。
【００１５】
（実施の形態１）
図１は本発明の実施の形態１における暖房便座全体の斜視図を示し、図２は便座の斜視図を示し、図３は便座の下部体の一部を切除した下面図を示し、図４は便座におけるサーミスタ固定構造部の断面図を示し、図５は便座の下部体の内部構造の斜視図を示し、図６は挟持体の詳細斜視図を示すものである。
【００１６】
図に示すように、本実施の形態における暖房便座は、後方に設置した樹脂製の外装を備えた本体１に、上下方向に開閉自在な便座２と便蓋３が枢支してある。便座２の内部には便座２を暖房、保温する発熱体としてランプヒータ４が組み込んである。また、本体１の内部には局部を洗浄する局部洗浄手段（図示せず）と前記便座２を加熱するランプヒータ４や局部洗浄手段を制御する制御手段（図示せず）が設置してある。
【００１７】
便座２は金属製の上部体５と樹脂製の下部体６を上下に接合し、内部に空洞部を形成した構成となっている。図３は便座２を下方から見た下面図を示したものであり、左半分を便座２の下部体６のある状態、右半分は便座２の下部体６の無い状態を示すものであり、右半分で示された上部体５の内面には、便座表面の温度検出用サーミスタ７が被覆体８にて固定してある。被覆体８はアルミ箔の裏面に粘着剤を付帯した構成となっており、サーミスタ７は被覆体８のみで仮止め状態として保持可能である。
【００１８】
一方、図５に示すように下部体６の内部には、下部体６の略全周に亘ってアルミ板で形成した反射板９が設置してあり、反射板９の上方には、略Ｕ字形の２本のランプヒータ４が便座２の全周に亘って固定部材１０を介して設置してあり、ランプヒータ４はリード線１１にて本体１の内部に設置した制御手段と接続し電力が供給されるよう形成してある。ランプヒータ４は石英管の中央部を貫通するようにフィラメントを配置し、石英管内部に不活性ガスを封入したものである。
【００１９】
そして、便座２の上部体５に固定してあるサーミスタ７のちょうど真下の位置となる反射板９の所定位置には、サーミスタ７を保持する被覆体８を挟持する挟持体１２が取付ねじ１３で固定してある。
【００２０】
挟持体１２は、便座組立状態において、上部体５と下部体６とに無理な力が働かず、かつサーミスタ７を保持する被覆体８を安定して挟持するため、またランプヒータ４からの熱的な影響を直接受けにくくするため、弾力性を備えた細い金属の線材を曲げて形成したもので、特に弾力性を増すために元の部分を螺旋状に形成したものであり、便座２への荷重による撓み変形も吸収しやすくなっている。また、サーミスタ７を固定している被覆体８を挟持する部分は略コ字形状に形成してあり、被覆体８の外周近傍を挟持できる構成となっている。これにより、衝撃に弱いサーミスタ７を直接挟持体１２で押さえ込むのではなく、被覆体８の周辺近傍を押さえる構造とすることで、サーミスタ７の故障や誤検知を防ぐことができる。
【００２１】
便座２の組立過程においては、便座２の上部体５にサーミスタ７を被覆体８で仮止め状態とし、下部体６の反射板９に挟持体１２を固定した状態で、上部体５と下部体６を嵌合することにより、挟持体１２が被覆体８の周辺近傍を挟持する状態となり、サーミスタ７を上部体５の裏面に確実に取り付けることができる。
【００２２】
また、上記構成のように、発熱体が輻射型発熱体であるランプヒータ４の場合、サーミスタ７を固定している粘着剤を付帯した被覆体８を輻射エネルギを反射しやすいアルミ箔で構成したことにより、ランプヒータ４からの直接の吸熱は少なくなり、サーミスタは便座２の上部体５の温度を正確に検知することができる。
【００２３】
以上のように、本実施の形態においては、上部体の裏面に密着したサーミスタに被覆体を被装し、前記被覆体の周辺部を弾力性を有する挟持体で挟持することにより、便座のサーミスタは、便座の上部体に密着すると共に、発熱体に対向する下方側は被覆体で覆われるため、発熱体からの直接伝わる熱の影響を軽減することができるため、便座の温度を正確に検知することができるものである。
なお、本実施の形態における発熱体はランプヒータを採用したがこれに限るものではなく、シーズヒータや可撓性のあるヒータ線等の発熱体で構成しても同様の効果を得ることができる。
【００２４】
また、本実施の形態においては、挟持体は細い金属の線材で形成したが、これに限るものではなく、板状の金属や耐熱性を備えた樹脂等で形成することも可能である。
【００２５】
また、本実施の形態においては、挟持体を独立した部材として反射板に固定した構成としたが、これに限るものではなく、反射板の一部を切り起こして反射板と一体で構成することにより、部材の点数を減らすことができ、組立時の手間を省くことが可能となる。
【００２６】
また、本実施の形態においては、挟持体を下部体に設置した反射板に設置したが、これに限るものではなく、下部体の他の部分や上部体に設置することも可能である。
【産業上の利用可能性】
【００２７】
以上のように、本発明にかかる暖房便座は、人体が接する構造体の温度を正確に検知するサーミスタの固定方法であるので、暖房便座のみならず、人体に直接接触させて使用する採暖器具等の用途にも適用できるものと考えられる。
【図面の簡単な説明】
【００２８】
【図１】本発明の実施の形態１における衛生洗浄装置全体の斜視図
【図２】本発明の実施の形態１における便座の斜視図
【図３】本発明の実施の形態１における便座の下部体の一部を切除した下面図
【図４】本発明の実施の形態１における便座のサーミスタ固定部の断面図
【図５】本発明の実施の形態１における便座の下部体内部の斜視図
【図６】本発明の実施の形態１における挟持体の取付状態の詳細を示す斜視図
【図７】従来の暖房便座の断面図
【符号の説明】
【００２９】
２  便座
４  発熱体（ランプヒータ）
５  上部体
６  下部体
７  サーミスタ
８  被覆体
１２  挟持体
【図１】
0004742905.tif 000002
【図２】
0004742905.tif 000003
【図３】
0004742905.tif 000004
【図５】
0004742905.tif 000005
【図７】
0004742905.tif 000006
【図４】
0004742905.tif 000007
【図６】
0004742905.tif 000008